(57)【要約】【課題】伝送効率を向上させることができるようにする。【解決手段】物理層フレームにデータフレームとして含める誤り訂正符号ブロックに対して、第１の方式に準拠した第１の時間インタリーブを行う第１の時間インタリーバを備え、誤り訂正符号ブロックは、第２の方式に準拠し、第１の時間インタリーバは、第１の時間インタリーブを行うに際し、データフレームの先頭に含まれる誤り訂正符号ブロックの先頭位置のオフセットを示すポインタを適用する送信装置が提供される。本技術は、例えば、ISDB-T方式等の放送方式に対応した伝送システムに適用することができる。【選択図】図６
2020096230.tif 000002
【特許請求の範囲】
【請求項１】
物理層フレームにデータフレームとして含める誤り訂正符号ブロックに対して、第１の方式に準拠した第１の時間インタリーブを行う第１の時間インタリーバを備え、
前記誤り訂正符号ブロックは、第２の方式に準拠し、
前記第１の時間インタリーバは、前記第１の時間インタリーブを行うに際し、前記データフレームの先頭に含まれる前記誤り訂正符号ブロックの先頭位置のオフセットを示すポインタを適用する
送信装置。
【請求項２】
前記物理層フレームを、階層分割多重方式を適用した放送信号として送信する送信部をさらに備える
請求項１に記載の送信装置。
【請求項３】
前記送信部は、前記データフレーム及び伝送制御信号を含む前記物理層フレームを送信し、
前記ポインタは、前記伝送制御信号に含まれる
請求項２に記載の送信装置。
【請求項４】
前記第２の方式は、前記第１の方式の次世代方式を含み、
前記第１の時間インタリーバは、前記第１の方式と前記第２の方式の移行期間に、前記第１の時間インタリーブを行う
請求項２に記載の送信装置。
【請求項５】
前記第２の方式に準拠した第２の時間インタリーブを行う第２の時間インタリーバをさらに備え、
前記第２の時間インタリーバは、前記第２の方式への移行後に、前記第２の時間インタリーブを行う
請求項４に記載の送信装置。
【請求項６】
前記移行期間であるかどうかを示す切替信号に基づいて、前記第１の時間インタリーバから、前記第２の時間インタリーバに切り替える
請求項５に記載の送信装置。
【請求項７】
前記送信部は、前記データフレーム及び伝送制御信号を含む前記物理層フレームを送信し、
前記切替信号は、前記伝送制御信号に含まれる
請求項６に記載の送信装置。
【請求項８】
前記第１の方式は、ISDB-T方式を含み、
前記第２の方式は、前記ISDB-T方式の次世代方式を含む
請求項４に記載の送信装置。
【請求項９】
前記物理層フレームは、OFDMフレームを含み、
前記誤り訂正符号ブロックは、FECブロックを含み、
前記ポインタは、FECブロックポインタを含む
請求項８に記載の送信装置。
【請求項１０】
送信装置が、
物理層フレームにデータフレームとして含める第２の方式に準拠した誤り訂正符号ブロックに対して、第１の方式に準拠した時間インタリーブを行うに際し、前記データフレームの先頭に含まれる前記誤り訂正符号ブロックの先頭位置のオフセットを示すポインタを適用する
送信方法。
【請求項１１】
物理層フレームにデータフレームとして含める第２の方式に準拠した誤り訂正符号ブロックに対して、第１の方式に準拠した第１の時間インタリーブを行うに際し、前記データフレームの先頭に含まれる前記誤り訂正符号ブロックの先頭位置のオフセットを示すポインタを適用する時間インタリーバを備える送信装置
から送信されてくる前記物理層フレームから抽出される前記第１の時間インタリーブ後の前記誤り訂正符号ブロックを、前記オフセットに応じた元の時間的順序に戻す第１の時間デインタリーブを行う第１の時間デインタリーバを備える
受信装置。
【請求項１２】
階層分割多重方式を適用した放送信号として送信されてくる前記物理層フレームを受信する受信部をさらに備える
請求項１１に記載の受信装置。
【請求項１３】
前記受信部は、前記データフレーム及び伝送制御信号を含む前記物理層フレームを受信し、
前記ポインタは、前記伝送制御信号に含まれる
請求項１２に記載の受信装置。
【請求項１４】
前記第２の方式は、前記第１の方式の次世代方式を含み、
前記第１の時間デインタリーバは、前記第１の方式と前記第２の方式の移行期間に、前記第１の時間デインタリーブを行う
請求項１２に記載の受信装置。
【請求項１５】
前記第２の方式に準拠した第２の時間デインタリーブを行う第２の時間デインタリーバをさらに備え、
前記第２の時間デインタリーバは、前記第２の方式への移行後に、前記第２の時間デインタリーブを行う
請求項１４に記載の受信装置。
【請求項１６】
前記移行期間であるかどうかを示す切替信号に基づいて、前記第１の時間デインタリーバから、前記第２の時間デインタリーバに切り替える
請求項１５に記載の受信装置。
【請求項１７】
前記受信部は、前記データフレーム及び伝送制御信号を含む前記物理層フレームを受信し、
前記切替信号は、前記伝送制御信号に含まれるか、又は外部から設定される
請求項１６に記載の受信装置。
【請求項１８】
前記第１の方式は、ISDB-T方式を含み、
前記第２の方式は、前記ISDB-T方式の次世代方式を含む
請求項１４に記載の受信装置。
【請求項１９】
前記物理層フレームは、OFDMフレームを含み、
前記誤り訂正符号ブロックは、FECブロックを含み、
前記ポインタは、FECブロックポインタを含む
請求項１８に記載の受信装置。
【請求項２０】
物理層フレームにデータフレームとして含める第２の方式に準拠した誤り訂正符号ブロックに対して、第１の方式に準拠した時間インタリーブを行うに際し、前記データフレームの先頭に含まれる前記誤り訂正符号ブロックの先頭位置のオフセットを示すポインタを適用する時間インタリーバを備える送信装置から送信されてくる前記物理層フレームを受信する受信装置が、
前記物理層フレームから抽出される時間インタリーブ後の前記誤り訂正符号ブロックを、前記オフセットに応じた元の時間的順序に戻す時間デインタリーブを行う
受信方法。
【発明の詳細な説明】
【技術分野】
【０００１】
本技術は、送信装置、送信方法、受信装置、及び受信方法に関し、特に、伝送効率を向上させることができるようにした送信装置、送信方法、受信装置、及び受信方法に関する。
【背景技術】
【０００２】
例えば、日本では、地上デジタルテレビジョン放送の次世代化に向けた高度化の検討が行われ、様々な技術方式の検討がなされている（例えば、特許文献１乃至３参照）。
【先行技術文献】
【特許文献】
【０００３】
【特許文献１】特開2015-65627号公報
【特許文献２】特開2018-67825号公報
【特許文献３】特開2018-101862号公報
【発明の概要】
【発明が解決しようとする課題】
【０００４】
ところで、次世代の放送方式の運用を開始するにあたっては、現行の放送方式から次世代の放送方式への移行期間が設けられるが、その移行期間においても、伝送効率を向上させることが求められる。
【０００５】
本技術はこのような状況に鑑みてなされたものであり、伝送効率を向上させることができるようにするものである。
【課題を解決するための手段】
【０００６】
本技術の一側面の送信装置は、物理層フレームにデータフレームとして含める誤り訂正符号ブロックに対して、第１の方式に準拠した第１の時間インタリーブを行う第１の時間インタリーバを備え、前記誤り訂正符号ブロックは、第２の方式に準拠し、前記第１の時間インタリーバは、前記第１の時間インタリーブを行うに際し、前記データフレームの先頭に含まれる前記誤り訂正符号ブロックの先頭位置のオフセットを示すポインタを適用する送信装置である。
【０００７】
本技術の一側面の送信装置は、独立した装置であってもよいし、１つの装置を構成している内部ブロックであってもよい。また、本技術の一側面の送信方法は、上述した本技術の一側面の送信装置に対応する送信方法である。
【０００８】
本技術の一側面の送信装置、及び送信方法においては、物理層フレームにデータフレームとして含める誤り訂正符号ブロックに対して、第１の方式に準拠した第１の時間インタリーブが行われる。また、前記誤り訂正符号ブロックは、第２の方式に準拠しており、前記第１の時間インタリーブが行われるに際しては、前記データフレームの先頭に含まれる前記誤り訂正符号ブロックの先頭位置のオフセットを示すポインタが適用される。
【０００９】
本技術の一側面の受信装置は、物理層フレームにデータフレームとして含める第２の方式に準拠した誤り訂正符号ブロックに対して、第１の方式に準拠した第１の時間インタリーブを行うに際し、前記データフレームの先頭に含まれる前記誤り訂正符号ブロックの先頭位置のオフセットを示すポインタを適用する時間インタリーバを備える送信装置から送信されてくる前記物理層フレームから抽出される前記第１の時間インタリーブ後の前記誤り訂正符号ブロックを、前記オフセットに応じた元の時間的順序に戻す第１の時間デインタリーブを行う第１の時間デインタリーバを備える受信装置である。
【００１０】
本技術の一側面の受信装置は、独立した装置であってもよいし、１つの装置を構成している内部ブロックであってもよい。また、本技術の一側面の受信方法は、上述した本技術の一側面の受信装置に対応する受信方法である。
【００１１】
本技術の一側面の受信装置、及び受信方法においては、物理層フレームにデータフレームとして含める第２の方式に準拠した誤り訂正符号ブロックに対して、第１の方式に準拠した第１の時間インタリーブを行うに際し、前記データフレームの先頭に含まれる前記誤り訂正符号ブロックの先頭位置のオフセットを示すポインタを適用する時間インタリーバを備える送信装置から送信されてくる前記物理層フレームから抽出される前記第１の時間インタリーブ後の前記誤り訂正符号ブロックが、前記オフセットに応じた元の時間的順序に戻す第１の時間デインタリーブが行われる。
【図面の簡単な説明】
【００１２】
【図１】本技術を適用した伝送システムの一実施の形態の構成の例を示す図である。
【図２】階層分割多重方式による放送信号の伝送を模式的に表した図である。
【図３】UL信号とLL信号の信号空間の例を示す図である。
【図４】現行方式と次世代方式と、それらの移行期間における伝送仕様の例を示す図である。
【図５】FECブロックポインタを時間デインタリーブに適用する例を示す図である。
【図６】送信装置の構成の例を示すブロック図である。
【図７】送信処理の流れを説明するフローチャートである。
【図８】受信装置の構成の第１の例を示すブロック図である。
【図９】第１の受信処理の流れを説明するフローチャートである。
【図１０】受信装置の構成の第２の例を示すブロック図である。
【図１１】第２の受信処理の流れを説明するフローチャートである。
【図１２】受信装置の構成の第３の例を示すブロック図である。
【図１３】第３の受信処理の流れを説明するフローチャートである。
【図１４】コンピュータの構成例を示す図である。
【発明を実施するための形態】
【００１３】
以下、図面を参照しながら本技術の実施の形態について説明する。なお、説明は以下の順序で行うものとする。
【００１４】
１．本技術の実施の形態
２．変形例
３．コンピュータの構成
【００１５】
＜１．本技術の実施の形態＞
【００１６】
（伝送システムの構成例）
図１は、本技術を適用した伝送システムの一実施の形態の構成を示す図である。なお、システムとは、複数の装置が論理的に集合したものをいう。
【００１７】
図１において、伝送システム１は、地上デジタルテレビジョン放送等の放送方式に対応したシステムである。伝送システム１は、各放送局に関連する施設に設置されるデータ処理装置１１−１乃至１１−Ｎ（Ｎは１以上の整数）と、送信所に設置される送信装置１０と、各ユーザにより所有される受信装置２０−１乃至２０−Ｍ（Ｍは１以上の整数）から構成される。
【００１８】
また、この伝送システム１において、データ処理装置１１−１乃至１１−Ｎと、送信装置１０とは、通信回線１２−１乃至１２−Ｎを介して接続されている。なお、通信回線１２−１乃至１２−Ｎは、例えば専用線とすることができる。
【００１９】
データ処理装置１１−１は、放送局Ａにより制作された放送コンテンツ（例えば放送番組等）のデータにエンコード等の必要な処理を施し、その結果得られる伝送データを、通信回線１２−１を介して送信装置１０に送信する。
【００２０】
データ処理装置１１−２乃至１１−Ｎにおいては、データ処理装置１１−１と同様に、放送局Ｂや放送局Ｚ等の各放送局により制作された放送コンテンツのデータが処理され、その結果得られる伝送データが、通信回線１２−２乃至１２−Ｎを介して送信装置１０に送信される。
【００２１】
送信装置１０は、通信回線１２−１乃至１２−Ｎを介して、放送局側のデータ処理装置１１−１乃至１１−Ｎから送信されてくる伝送データを受信する。送信装置１０は、データ処理装置１１−１乃至１１−Ｎからの伝送データに符号化や変調等の必要な処理を施し、その結果得られる放送信号を、送信所に設置された送信用のアンテナから送信する。
【００２２】
これにより、送信所側の送信装置１０からの放送信号は、所定の周波数帯の電波によって、受信装置２０−１乃至２０−Ｍにそれぞれ送信される。
【００２３】
受信装置２０−１乃至２０−Ｍは、例えば、テレビ受像機やセットトップボックス（STB：Set Top Box）などの固定受信機として構成され、各ユーザの自宅等に設置される。
【００２４】
受信装置２０−１は、所定の周波数帯の電波によって、送信装置１０から送信されてくる放送信号を受信して復調や復号、デコード等の必要な処理を施すことで、ユーザによる選局操作に応じた放送コンテンツ（例えば放送番組等）を再生する。
【００２５】
受信装置２０−２乃至２０−Ｍにおいては、受信装置２０−１と同様に、送信装置１０からの放送信号が処理され、ユーザによる選局操作に応じた放送コンテンツが再生される。
【００２６】
このようにして、受信装置２０においては、放送コンテンツの映像がディスプレイに表示され、その映像に同期した音声がスピーカから出力されるため、ユーザは、放送番組等の放送コンテンツを視聴することができる。
【００２７】
なお、伝送システム１において、Ｍ台の受信装置２０には、現行方式に対応したものと、次世代方式に対応したものが混在している。そこで、以下の説明では、現行方式に対応した受信装置２０を、現行受信装置２０Ｌと称し、次世代方式に対応した受信装置２０を、次世代受信装置２０Ｎと称して区別する。
【００２８】
さらに、現行方式と次世代方式の両方の方式に対応した受信装置２０も想定されるため、以下の説明では、当該受信装置２０を、両方式受信装置２０Ｄと称する。ただし、現行受信装置２０Ｌと、次世代受信装置２０Ｎと、両方式受信装置２０Ｄとを、特に区別する必要がない場合には、単に受信装置２０と称する。
【００２９】
ところで、日本では、地上デジタルテレビジョン放送の次世代化に向けた高度化の検討が行われている。ここで、現行の放送方式（現行方式）から次世代の放送方式（次世代方式）への移行方法の１つとして、現行の周波数帯域を用いて、互換性のある次世代方式を導入することが検討されている。
【００３０】
この放送方式の移行期間においては、現行方式の放送信号（以下、現行放送信号ともいう）と、次世代方式の放送信号（以下、次世代放送信号ともいう）を、階層分割多重（LDM：Layered Division Multiplexing）方式を採用して伝送する方式が想定される。
【００３１】
すなわち、放送方式の移行期間において、階層分割多重方式（LDM方式）を用いることで、上層（UL：Upper Layer）としての高電力階層で、現行放送信号を伝送し、下層（LL：Lower Layer）としての低電力階層で、次世代放送信号を伝送する。
【００３２】
ここで、図２は、階層分割多重方式による放送信号の伝送を模式的に示している。図２において、縦軸は信号レベルを表し、横軸は周波数を表している。
【００３３】
図２では、１つのチャンネルの周波数帯域を示しており、縦方向の破線で示すように、各周波数帯域は、複数のセグメント（例えば現行方式（ISDB-T方式）の場合には13個のセグメント）から構成される。ここでは、階層分割多重方式を用い、次世代放送信号の電力を抑制して、現行放送信号に多重することで、現行放送信号と同一の周波数帯域に、次世代放送信号を重ねて伝送することが可能となる。
【００３４】
図２において、高電力階層（UL）で伝送される現行２Ｋ放送（の現行放送信号）では、２Ｋ映像に対応した２Ｋコンテンツを伝送し、低電力階層（LL）で伝送される次世代４Ｋ放送（の次世代放送信号）は、４Ｋ映像に対応した４Ｋコンテンツを伝送しており、同一のチャンネル（周波数帯域）で、２Ｋと４Ｋのコンテンツの放送信号を伝送可能である。なお、例えば、現行２Ｋ放送は、現行受信装置２０Ｌにより受信され、次世代４Ｋ放送は、次世代受信装置２０Ｎ又は両方式受信装置２０Ｄにより受信される。
【００３５】
ここで、階層分割多重方式に対応した受信装置２０では、送信装置１０から送信されてくる放送信号から、まず、高電力階層のUL信号を復号してUL信号の送信点が推定され、その後に、推定されたUL信号の送信点を利用して、低電力階層のLL信号のデマッピングや復号が行われる。
【００３６】
例えば、図３の信号空間の例に示すように、QPSK(Quadrature Phase Shift Keying)で変調された現行放送信号から、図中の黒い四角で示すUL信号の送信点が推定され、このUL信号の送信点を用いて、図中の白い丸で示すLL信号のデマッピングや復号が行われる。具体的には、図３の例では、４つのUL信号の信号点（図中の黒い四角）のそれぞれを中心にして、８つのLL信号の信号点（図中の白い丸）が円状に配置されている。
【００３７】
このように、LL信号は、UL信号に基づき得られるものであるため、UL信号とLL信号とで、時間インタリーブ（時間デインタリーブ）のパターンが異なる場合、受信装置２０では、LL信号の復号を行うために、UL信号の復号結果を、時間インタリーブしてさらに時間デインタリーブする必要が出てくる。そのため、UL信号とLL信号とで時間インタリーブ（時間デインタリーブ）のパターンが異なってしまうと、受信装置２０の構成や処理が複雑になってしまう。
【００３８】
すなわち、受信装置２０の実現性を考慮すれば、時間インタリーブ（時間デインタリーブ）のパターンが異なることで、現行方式から次世代方式への移行期間にのみ用いられる専用のメモリ（大規模なメモリ）が必要で、かつ、処理が複雑になるため、UL信号とLL信号との時間インタリーブ（時間デインタリーブ）のパターンを共通化することは、必須である。
【００３９】
そこで、本技術では、現行方式から次世代方式への移行期間に、現行方式に対応した時間インタリーブ（時間デインタリーブ）が用いられるようにする。
【００４０】
また、次世代方式では、物理層フレーム（のデータフレーム）に含まれる誤り訂正符号ブロックの先頭位置が、物理層フレーム（のデータフレーム）の先頭位置と一致しない場合に、誤り訂正符号ブロックの先頭位置のオフセットを示すポインタが用いられる。このポインタを利用することで、それらの先頭位置が一致しない場合でも、効率的なデータ伝送を行うことができる。
【００４１】
具体的には、例えば、物理層フレームとしてOFDM(Orthogonal Frequency Division Multiplexing)フレーム、誤り訂正ブロックとしてFEC(Forward Error Correction)ブロック、ポインタとしてFECブロックポインタをそれぞれ用いることができ、以下の説明では、それらを一例にして説明する。
【００４２】
一方で、現行方式では、当該ポインタの機能はなく、移行期間に、現行方式に対応した時間インタリーブ（時間デインタリーブ）を用いる場合、UL信号とLL信号との時間インタリーブ（時間デインタリーブ）のパターンが共通化されるが、次世代放送信号に対応したLL信号の伝送効率が低下してしまう。
【００４３】
そのため、本技術では、移行期間に、現行方式に対応した時間インタリーブ（時間デインタリーブ）を用いるとともに、次世代方式に対応したポインタが、当該時間インタリーブ（時間デインタリーブ）に適用されるようにすることで、伝送効率を向上させるようにする。
【００４４】
なお、移行期間後は、次世代方式に対応したポインタはそのまま用いられるため、時間インタリーブ（時間デインタリーブ）を、現行方式に対応したものから、次世代方式に対応したものに切り替えればよい。
【００４５】
以上をまとめると、現行（移行前）と、移行期間と、次世代（移行後）とで適用される方式（伝送仕様）の関係は、図４に示すような関係となる。
【００４６】
すなわち、移行前においては、ISDB-T(Integrated Services Digital Broadcasting - Terrestrial)方式等の現行方式が用いられるため、現行方式に対応した時間インタリーバ（時間デインタリーバ）と、誤り訂正符号（FEC）が用いられ、FECブロックポインタは未使用とされる。つまり、現行方式に対応したFECブロックの先頭位置は、OFDMフレーム（のデータフレーム）の先頭位置と一致しているため、FECブロックポインタは必要ない。
【００４７】
移行期間では、現行方式の現行放送信号と、次世代方式の次世代放送信号とを階層分割多重方式（LDM方式）で伝送するが、UL信号とLL信号との時間インタリーブ（時間デインタリーブ）のパターンを共通化する目的で、現行方式に対応した時間インタリーバ（時間デインタリーバ）を用いるのは、先に述べた通りである。
【００４８】
また、移行期間では、階層分割多重方式を用い、現行放送信号に対応したUL信号と、次世代放送信号に対応したLL信号を伝送しており、現行方式に対応した誤り訂正符号（FEC）では、FECブロックポインタを用いる必要がない。一方で、移行期間において、次世代方式に対応した誤り訂正符号（FEC）では、FECブロックポインタが、現行方式に対応した時間インタリーブ（時間デインタリーブ）に適用されるようにするのは、先に述べた通りである。
【００４９】
移行後においては、次世代方式が用いられるため、次世代方式に対応した時間インタリーバ（時間デインタリーバ）と、誤り訂正符号（FEC）が用いられ、さらにFECブロックポインタも使用される。つまり、次世代方式に対応したFECブロックでは、その先頭位置が、OFDMフレーム（のデータフレーム）の先頭位置と一致しない場合があるため、当該FECブロックの先頭位置のオフセットを示すFECブロックポインタが用いられる。
【００５０】
以下、移行期間において、現行方式に対応した時間インタリーブ（時間デインタリーブ）を用いるとともに、次世代方式に対応したポインタ（FECブロックポインタ）が、当該時間インタリーブ（時間デインタリーブ）に適用されるようにした本技術を、図５乃至図１３を参照しながら詳細に説明する。
【００５１】
なお、本開示においては、説明の簡略化のため、現行方式（ISDB-T方式）として、現行２Ｋ放送についてのみ説明するが、実際には、現行方式（ISDB-T方式）では、13個のセグメントのうち、12個のセグメントが、固定受信機向けの放送（現行２Ｋ放送）に用いられ、残りの１セグメントがモバイル受信機向けの放送（いわゆるワンセグ放送）に用いられる。
【００５２】
（時間デインタリーブの例）
図５は、次世代受信装置２０Ｎ又は両方式受信装置２０Ｄにおいて、次世代方式に対応したFECブロックポインタを、現行方式に対応した時間デインタリーブに適用する例を示している。なお、図５において、時間の方向は、左から右に向かう方向とされる。
【００５３】
ここで、両方式受信装置２０Ｄ等では、受信したOFDMフレームに対する処理が順次行われるが、このOFDMフレームのサイズは、ISDB-T方式等の現行方式のフレームサイズに対応している。つまり、両方式受信装置２０Ｄ等では、移行期間にて現行方式に対応した時間デインタリーブを行うため、そのOFDMフレームのサイズは、現行方式に対応したものとなる。
【００５４】
また、OFDMフレームは、データフレームとともに、伝送制御信号を含んでいる。データフレームには、複数のFECブロックが含まれる。また、FECブロックは、固定長とされるが、現行方式に対応したFECブロックに比べて、次世代方式に対応したFECブロックのほうが、固定長が長くなる。
【００５５】
図５において、両方式受信装置２０Ｄ等では、OFDMフレームごとに、現行方式に対応した時間インタリーブが施された複数のFECブロックが抽出され、現行方式に対応した時間デインタリーブが行われる。この時間デインタリーブの対象となるFECブロックは、次世代方式に対応したFECブロックとされる。
【００５６】
図５のＡは、時間デインタリーブ前のFECブロックを示している。図５のＡにおいては、複数のFECブロックが、現行方式に対応した所定のパターンにより時間方向にインタリーブされ、時間的順序が組み替えられている。ここでは、図中の模様が付された四角のそれぞれが、FECブロックの一部を表しており、元の時間的順序に並び替えて、同一の模様の四角を集めることで１つのFECブロックが構成される。
【００５７】
図５のＢは、時間デインタリーブ後のFECブロックを示している。図５のＢにおいては、時間デインタリーブが行われることで、OFDMフレームごとに、時間的順序が組み替えられた複数のFECブロックのそれぞれが、元の時間的順序に戻されている。
【００５８】
このとき、OFDMフレーム（のデータフレーム）の先頭位置と、FECブロックの先頭位置とが一致していないが、両方式受信装置２０Ｄ等では、FECブロックポインタを用いることで、FECブロックの先頭位置を認識することができる。例えば、このFECブロックポインタによって、FECブロックの先頭位置のオフセットとして、OFDMフレームの先頭からのデータキャリア数が指定される。
【００５９】
具体的には、１つ目のOFDMフレームでは、FECブロックポインタＰ１として、当該OFDMフレームの先頭からのデータキャリア数が指定され、２つ目のOFDMフレームでは、FECブロックポインタＰ２として、当該OFDMフレームの先頭からのデータキャリア数が指定される。
【００６０】
なお、図５においては、受信側の次世代受信装置２０Ｎ又は両方式受信装置２０Ｄで行われる時間デインタリーブを説明したが、送信側の送信装置１０では、当該時間デインタリーブに対応した時間インタリーブが行われる。すなわち、送信装置１０では、図５のＢに示した複数のFECブロックを、現行方式に対応した所定のパターンで時間的順序を組み替えることで、時間方向にインタリーブする（図５のＡ）。
【００６１】
このように、移行期間において、現行方式に対応した時間インタリーブ（時間デインタリーブ）を用いるとともに、次世代方式に対応したFECブロックで用いられるFECブロックポインタが、当該時間インタリーブ（時間デインタリーブ）に適用されるようにすることで、伝送効率を向上させることができる。
【００６２】
すなわち、FECブロックポインタを適用することで、OFDMフレームの先頭に含まれるFECブロックの先頭位置が、OFDMフレームの先頭位置と一致していなくても、受信装置２０では、OFDMフレームからFECブロックを抽出することができる。換言すれば、本技術は、次のように捉えることができる。つまり、１つのFECブロックが複数のOFDMフレーム（のデータフレーム）に跨がって配置できない場合には、OFDMフレームの最後の部分にあるFECブロックを配置できない領域に対して、例えばゼロパディングを行ったり、NULL値を配置したりする必要がある。それに対して、本技術では、１つのFECブロックが、複数のOFDMフレーム（のデータフレーム）に跨がって配置されることが許容されるため、例えばゼロパディングやNULL値を配置するなどの必要がなく、OFDMフレームの最後の部分にもFECブロックの一部を配置できるので、結果として、伝送効率の低下が抑制される。
【００６３】
（送信装置の構成）
図６は、図１の送信装置１０の構成の例を示すブロック図である。
【００６４】
図６において、送信装置１０は、FEC部１１１−１、FEC部１１１−２、電力制御部１１２、加算部１１３、電力正規化部１１４、信号処理部１１５−１、信号処理部１１５−２、セレクタ１１６、OFDM変調部１１７、セレクタ１１８、FECポインタ計算部１１９、TMCC生成部１２０−１、TMCC生成部１２０−２、電力制御部１２１、加算部１２２、電力正規化部１２３、及びセレクタ１２４から構成される。
【００６５】
なお、図６においては、FEC部１１１乃至セレクタ１１６によってデータ信号の系列が構成され、セレクタ１１８乃至セレクタ１２４によって伝送制御信号の系列が構成され、それらの系列で得られる信号がOFDM変調部１１７にそれぞれ入力される。
【００６６】
まず、上段に示したデータ信号の系列について説明する。
【００６７】
FEC部１１１−１は、現行方式の仕様に対応したFEC符号化変調部である。FEC部１１１−１は、そこに伝送データとして入力される２Ｋコンテンツの信号（2K信号）に対して、前方誤り訂正（FEC）を施し、その結果得られる2K FEC信号を、加算部１１３に供給する。
【００６８】
FEC部１１１−２は、次世代方式の仕様に対応したFEC符号化変調部である。FEC部１１１−２は、そこに伝送データとして入力される４Ｋコンテンツの信号（4K信号）に対して、前方誤り訂正（FEC）を施し、その結果得られる4K FEC信号を、電力制御部１１２及び信号処理部１１５−２に供給する。
【００６９】
電力制御部１１２は、FEC部１１１−２から供給される4K FEC信号に対する電力制御を行い、その結果得られる信号（4K FEC信号）を、加算部１１３に供給する。
【００７０】
加算部１１３は、FEC部１１１−１から供給される2K FEC信号と、電力制御部１１２から供給される4K FEC信号とを加算し、その結果得られる加算信号を、電力正規化部１１４に供給する。電力正規化部１１４では、加算部１１３から供給される加算信号の電力を正規化して、信号処理部１１５−１に供給する。
【００７１】
すなわち、この信号処理部１１５−１に入力される信号は、移行期間に、階層分割多重方式で伝送されるため、電力制御部１１２、加算部１１３、及び電力正規化部１１４では、２Ｋコンテンツの信号（2K FEC信号）を高電力階層（UL）で伝送し、４Ｋコンテンツの信号（4K FEC信号）を低電力階層（LL）で伝送するための処理が行われる。
【００７２】
信号処理部１１５−１は、現行方式の仕様に対応した信号処理部である。信号処理部１１５−１は、階層合成部１４１−１、時間インタリーバ１４２−１、及び周波数インタリーバ１４３−１から構成される。
【００７３】
階層合成部１４１−１は、そこに入力される信号に対して、セグメントに対応した階層合成に関する処理を行い、その結果得られる信号を、時間インタリーバ１４２−１に供給する。
【００７４】
時間インタリーバ１４２−１は、階層合成部１４１−１から供給される信号について、時間インタリーブ（時間方向のインタリーブ）を行い、その時間インタリーブ後の信号を、周波数インタリーバ１４３−１に供給する。ここで、時間インタリーバ１４２−１によって行われる時間インタリーブは、図５に示した時間デインタリーブに対応した時間インタリーブとされる。
【００７５】
周波数インタリーバ１４３−１は、時間インタリーバ１４２−１から供給される信号について、周波数インタリーブ（周波数方向のインタリーブ）を行い、その周波数インタリーブ後の信号を、セレクタ１１６に供給する。
【００７６】
一方で、信号処理部１１５−２に入力される信号は、移行後に次世代方式で伝送される４Ｋコンテンツの信号（4K FEC信号）とされる。信号処理部１１５−２は、次世代方式の仕様に対応した信号処理部である。信号処理部１１５−２は、階層合成部１４１−２、時間インタリーバ１４２−２、及び周波数インタリーバ１４３−２から構成される。
【００７７】
階層合成部１４１−２は、階層合成に関する処理を行う。時間インタリーバ１４２−２は、そこに入力される信号について、時間インタリーブを行う。周波数インタリーバ１４３−２は、そこに入力される信号について、周波数インタリーブを行う。この周波数インタリーブ後の信号は、セレクタ１１６に供給される。
【００７８】
セレクタ１１６は、そこに供給される切替信号に従い、その入力を、信号処理部１１５−１側、又は信号処理部１１５−２側に切り替える。セレクタ１１６は、切替信号が移行期間に応じた信号である場合には、信号処理部１１５−１により処理されたLDM対応データ信号を選択し、切り替え信号が移行後に応じた信号である場合には、信号処理部１１５−２により処理された次世代データ信号を選択して、それぞれOFDM変調部１１７に出力する。
【００７９】
なお、切替信号は、その時点での運用が、現行方式から次世代方式への移行期間に応じた運用を行っている場合には、移行期間に応じた信号となり、次世代方式への移行後の運用を行っている場合には、移行後に応じた信号となる。例えば、切替信号は、図示しない制御回路から通知されるか、あるいは、外部から通知されてもよい。なお、送信装置１０において、他のセレクタに供給される切替信号についても同様とされる。
【００８０】
次に、下段に示した伝送制御信号の系列について説明する。
【００８１】
セレクタ１１８は、そこに供給される切替信号が移行期間に応じた信号である場合には、ISDB-T方式等の現行方式のフレームサイズを選択し、切替信号が移行後に応じた信号である場合には、次世代方式のフレームサイズを選択して、それぞれFECポインタ計算部１１９に供給する。
【００８２】
FECポインタ計算部１１９は、セレクタ１１８から供給されるフレームサイズに基づいて、FECブロックポインタを計算し、TMCC生成部１２０−２に供給する。
【００８３】
ここでは、例えば、現行方式又は次世代方式に対応したOFDMフレームのフレームサイズに基づき、OFDMフレーム（のデータフレーム）の先頭に含まれるFECブロックの先頭位置のオフセットを示すFECブロックポインタとして、OFDMフレームの先頭からのデータキャリア数が求められる。
【００８４】
TMCC生成部１２０−１は、現行方式の仕様に対応した伝送制御信号として、TMCC(Transmission Multiplexing Configuration Control)信号（以下、現行TMCC信号とも称する）を生成し、加算部１２２に供給する。なお、TMCC信号は、各階層の変調方式や誤り訂正符号化率等の伝送パラメータなどの情報を含む制御信号である。
【００８５】
TMCC生成部１２０−２は、次世代方式の仕様に対応した伝送制御信号として、TMCC信号（以下、次世代TMCC信号とも称する）を生成し、電力制御部１２１及びセレクタ１２４に供給する。この次世代TMCC信号には、FECポインタ計算部１１９から供給されるFECブロックポインタが含められる。
【００８６】
電力制御部１２１は、TMCC生成部１２０−２から供給される信号（次世代TMCC信号）に対する電力制御を行い、その結果得られる信号を、加算部１２２に供給する。
【００８７】
加算部１２２は、TMCC生成部１２０−１から供給される信号（現行TMCC信号）と、電力制御部１２１から供給される信号（次世代TMCC信号）とを加算し、その結果得られる加算信号を、電力正規化部１２３に供給する。電力正規化部１２３では、加算部１２２から供給される加算信号の電力を正規化して、セレクタ１２４に供給する。
【００８８】
すなわち、このセレクタ１２４に入力される信号（LDM対応伝送制御信号）は、移行期間に、階層分割多重方式で伝送されるため、電力制御部１２１、加算部１２２、及び電力正規化部１２３では、現行方式に対応した伝送制御信号（現行TMCC信号）を高電力階層（UL）で伝送し、次世代方式に対応した伝送制御信号（次世代TMCC信号）を低電力階層（LL）で伝送するための処理が行われる。
【００８９】
また、セレクタ１２４に入力される他方の信号、すなわち、TMCC生成部１２０−２から供給される信号（次世代伝送制御信号）は、移行後に次世代方式で伝送される次世代方式に対応した伝送制御信号（次世代TMCC信号）とされる。
【００９０】
セレクタ１２４は、そこに供給される切替信号が移行期間に応じた信号である場合には、電力正規化部１２３からのLDM対応伝送制御信号を選択し、切替信号が移行後に応じた信号である場合には、TMCC生成部１２０−２からの次世代伝送制御信号を選択して、それぞれOFDM変調部１１７に出力する。
【００９１】
ここで、移行期間に応じた運用を行う場合、OFDM変調部１１７には、データ信号の系列側のセレクタ１１６からLDM対応データ信号が供給され、伝送制御信号の系列側のセレクタ１２４からLDM対応伝送制御信号が供給される。
【００９２】
この場合において、OFDM変調部１１７は、LDM対応データ信号、及びLDM対応伝送制御信号に基づいて、物理層フレームとしてOFDMフレームを構成（生成）する。また、OFDM変調部１１７では、OFDMフレーム構成に対し、IFFT(Inverse Fast Fourier Transform)や、GI(Guard Interval)の挿入などの処理が行われ、その結果得られる信号が、放送信号として、送信用のアンテナ（不図示）から送出（送信）される。
【００９３】
このように、移行期間においては、送信装置１０によって、階層分割多重方式が用いられることで、高電力階層（UL）では、現行２Ｋ放送（の現行放送信号）が伝送され、低電力階層（LL）では、次世代４Ｋ放送（の次世代放送信号）が伝送されることになる。
【００９４】
また、移行後に応じた運用を行う場合、OFDM変調部１１７には、データ信号の系列側のセレクタ１１６から次世代データ信号が供給され、伝送制御信号の系列側のセレクタ１２４から次世代伝送制御信号が供給される。
【００９５】
この場合において、OFDM変調部１１７は、次世代データ信号、及び次世代伝送制御信号に基づいて、物理層フレームとしてOFDMフレームを構成する。また、OFDM変調部１１７では、OFDMフレーム構成に対し、IFFTやGIの挿入などの処理が行われ、その結果得られる信号が、放送信号として、送信用のアンテナ（不図示）から送出される。
【００９６】
このように、移行後においては、送信装置１０によって、移行後の次世代４Ｋ放送（の次世代放送信号）のみが伝送されることになる。
【００９７】
なお、図６においては、FECブロックポインタをTMCC信号に含める場合を例示したが、それに限らず、FECブロックポインタは、他の信号に含めてもよい。例えば、FECブロックポインタを、OFDMフレームのデータフレームのヘッダなどに含めてもよい。ただし、当該ヘッダに含める場合には、TMCC信号に含める場合と比べて、伝送データ量が減少することになる。
【００９８】
また、詳細は後述するが、TMCC信号には、その時点での運用が、移行期間に応じた運用であるのか、あるいは移行後に応じた運用であるのかを、受信装置２０に通知するための運用判定信号を含めることができる。
【００９９】
（送信処理の流れ）
次に、図７のフローチャートを参照して、図６の送信装置１０により実行される送信処理の流れを説明する。
【０１００】
ステップＳ１０１において、FEC部１１１−１及びFEC部１１１−２は、FEC符号化変調処理を行う。ここでは、FEC部１１１−１によって、2K信号に対するFEC符号化変調処理が行われる。また、FEC部１１１−２によって、4K信号に対するFEC符号化変調処理が行われる。
【０１０１】
ステップＳ１０２の判定処理では、その時点での運用が移行期間又は移行後であるかが判定される。
【０１０２】
ステップＳ１０２において、移行期間中であると判定された場合、処理は、ステップＳ１０３に進められ、ステップＳ１０３乃至Ｓ１０７、Ｓ１１１、及びＳ１１２の処理が実行される。
【０１０３】
すなわち、電力制御部１１２、加算部１１３、及び電力正規化部１１４では、2K FEC信号を高電力階層（UL）で伝送し、4K FEC信号を低電力階層（LL）で伝送するためのFEC LDM変調処理が行われる（Ｓ１０３）。
【０１０４】
そして、時間インタリーバ１４２−１が、FEC LDM変調処理の結果得られる信号に対し、時間インタリーブを行う（Ｓ１０４）。また、周波数インタリーバ１４３−１が、時間インタリーブ後の信号に対し、周波数インタリーブを行う（Ｓ１０５）。
【０１０５】
続いて、TMCC生成部１２０−１及びTMCC生成部１２０−２は、TMCC符号化変調処理を行う（Ｓ１０６）。ここでは、TMCC生成部１２０−１によって、現行TMCC信号に対するTMCC符号化変調処理が行われる。また、TMCC生成部１２０−２によって、次世代TMCC信号に対するTMCC符号化変調処理が行われる。
【０１０６】
また、電力制御部１２１、加算部１２２、及び電力正規化部１２３では、現行TMCC信号を高電力階層（UL）で伝送し、次世代TMCC信号を低電力階層（LL）で伝送するためのTMCC LDM変調処理が行われる（Ｓ１０７）。なお、ここでは、TMCC符号化変調処理がさらに行われ、移行期間に応じた運用であることを示す運用判定信号が含められる（Ｓ１１１）。
【０１０７】
そして、OFDM変調部１１７は、LDM対応データ信号、及びLDM対応伝送制御信号に基づき、OFDM変調処理を行う（Ｓ１１２）。このOFDM変調処理の結果得られる信号は、放送信号として送信用のアンテナを介して送出される。
【０１０８】
一方で、ステップＳ１０２において、移行後であると判定された場合、処理は、ステップＳ１０８に進められ、ステップＳ１０８乃至Ｓ１１２の処理が実行される。
【０１０９】
すなわち、時間インタリーバ１４２−２が、4K FEC信号に対し、時間インタリーブを行う（Ｓ１０８）。また、周波数インタリーバ１４３−２が、時間インタリーブ後の信号に対し、周波数インタリーブを行う（Ｓ１０９）。
【０１１０】
続いて、TMCC生成部１２０−２は、次世代TMCC信号に対するTMCC符号化変調処理を行う（Ｓ１１０）。なお、ここでは、移行後に応じた運用であることを示す運用判定信号が含められる（Ｓ１１１）。
【０１１１】
そして、OFDM変調部１１７は、次世代データ信号、及び次世代伝送制御信号に基づき、OFDM変調処理を行う（Ｓ１１２）。このOFDM変調処理の結果得られる信号は、放送信号として送信用のアンテナを介して送出される。
【０１１２】
以上、送信処理の流れを説明した。
【０１１３】
（受信装置の構成）
図８は、図１の受信装置２０の構成の第１の例を示すブロック図である。なお、図８に示した受信装置２０は、例えば次世代受信装置２０Ｎ又は両方式受信装置２０Ｄとして構成されている。
【０１１４】
図８において、受信装置２０は、OFDM復調部２１１、TMCC復調復号部２１２、TMCC LDM復調部２１３、移行期間判定部２１４、セレクタ２１５、TMCC復調復号部２１６、周波数デインタリーバ２１７−１、周波数デインタリーバ２１７−２、セレクタ２１８、RAM２１９、時間デインタリーバ２２０−１、時間デインタリーバ２２０−２、セレクタ２２１、RAM２２２、FEC復調復号部２２３、FEC LDM復調部２２４、セレクタ２２５、及びFEC復調復号部２２６から構成される。
【０１１５】
なお、図８において、TMCC復調復号部２１２乃至TMCC復調復号部２１６によって伝送制御信号の系列が構成され、周波数デインタリーバ２１７乃至FEC復調復号部２２６によってデータ信号の系列が構成され、それらの系列に対してOFDM復調部２１１からの信号がそれぞれ入力される。
【０１１６】
OFDM復調部２１１には、受信用のアンテナ（不図示）を介して受信された放送信号が入力される。OFDM復調部２１１では、そこに入力される放送信号に対し、GIの除去やFFT(Fast Fourier Transform)、OFDMフレームの復調などの処理が行われ、その結果得られる信号が後段のブロックに出力される。
【０１１７】
ここでは、OFDM復調部２１１から出力される信号のうち、LDM対応伝送制御信号がTMCC復調復号部２１２及びTMCC LDM復調部２１３に供給され、LDM対応データ信号が周波数デインタリーバ２１７−１に供給される。また、OFDM復調部２１１から出力される信号のうち、次世代伝送制御信号がセレクタ２１５に供給され、次世代データ信号が周波数デインタリーバ２１７−２に供給される。
【０１１８】
TMCC復調復号部２１２は、OFDM復調部２１１から供給される信号（LDM対応伝送制御信号）に対し、TMCC信号が配置されている各キャリアに対して所定の復調方式に従った復調を行い、その復調の結果を復号して得られる運用判定信号を、移行期間判定部２１４に供給する。
【０１１９】
この運用判定信号は、その時点での運用が、移行期間に応じた運用であるのか、あるいは移行後に応じた運用であるのかを示す信号である。なお、この運用判定信号は、例えば、所定のビットにより表され、移行期間中や移行後に関わらず、同一のビット位置を割り当てることができる。
【０１２０】
移行期間判定部２１４は、TMCC復調復号部２１２から供給される運用判定信号に基づいて、その時点での運用が移行期間又は移行後の運用であるかどうかを判定し、その判定の結果に応じた切替信号を、セレクタ２１５、セレクタ２１８、セレクタ２２１、及びセレクタ２２５にそれぞれ供給する。
【０１２１】
また、TMCC復調復号部２１２からの信号は、TMCC LDM復調部２１３に供給される。TMCC LDM復調部２１３は、OFDM復調部２１１及びTMCC復調復号部２１２からの信号に基づいて、LDM復調を行い、その復調の結果に応じた信号を、セレクタ２１５に供給する。
【０１２２】
ここで、移行期間においては、階層分割多重方式が用いられ、現行TMCC信号が高電力階層（UL）で伝送され、次世代TMCC信号が低電力階層（LL）で伝送されるが、このLDM復調によって、低電力階層（LL）で伝送される次世代TMCC信号の復調や復号が可能とされる。
【０１２３】
セレクタ２１５には、OFDM復調部２１１からの信号（次世代伝送制御信号）と、TMCC LDM復調部２１３からの信号が入力される。セレクタ２１５は、移行期間判定部２１４からの切替信号が移行期間に応じた信号である場合には、TMCC LDM復調部２１３からの信号を選択し、切替信号が移行後に応じた信号である場合には、OFDM復調部２１１からの信号を選択して、それぞれTMCC復調復号部２１６に出力する。
【０１２４】
TMCC復調復号部２１６は、次世代方式に対応しており、セレクタ２１５から供給される信号に対し、所定の復調方式に従った復調を行い、その復調の結果を復号して、次世代TMCC信号を取得する。TMCC復調復号部２１６は、取得した次世代TMCC信号に含まれるパラメータのうち、FECブロックポインタを、時間デインタリーバ２２０−１及び時間デインタリーバ２２０−２に供給する。
【０１２５】
周波数デインタリーバ２１７−１は、現行方式の仕様に対応した周波数デインタリーバである。一方で、周波数デインタリーバ２１７−２は、次世代方式の仕様に対応した周波数デインタリーバである。周波数デインタリーバ２１７−１、２１７−２に対しては、セレクタ２１８及びRAM２１９が設けられる。
【０１２６】
セレクタ２１８は、切替信号が移行期間に応じた信号である場合、その入力を、周波数デインタリーバ２１７−１側に切り替える一方で、切替信号が移行後に応じた信号である場合、その入力を、周波数デインタリーバ２１７−２側に切り替える。これにより、その時点での運用が移行期間か移行後かによって、現行方式又は次世代方式の仕様に対応した周波数デインタリーバ２１７が、RAM２１９を使用可能となる。
【０１２７】
時間デインタリーバ２２０−１は、現行方式の仕様に対応した時間デインタリーバである。一方で、時間デインタリーバ２２０−２は、次世代方式の仕様に対応した時間デインタリーバである。時間デインタリーバ２２０−１、２２０−２に対しては、セレクタ２２１及びRAM２２２が設けられる。
【０１２８】
セレクタ２２１は、切替信号が移行期間に応じた信号である場合、その入力を、時間デインタリーバ２２０−１側に切り替える一方で、切替信号が移行後に応じた信号である場合、その入力を、時間デインタリーバ２２０−２側に切り替える。これにより、その時点での運用が移行期間か移行後かによって、現行方式又は次世代方式の仕様に対応した時間デインタリーバ２２０が、RAM２２２を使用可能となる。
【０１２９】
すなわち、移行期間において、周波数デインタリーバ２１７−１は、OFDM復調部２１１から供給される信号（LDM対応データ信号）を適宜、RAM２１９に書き込んだり、読み出したりすることで、周波数デインタリーブ（周波数方向のデインタリーブ）を行い、その周波数デインタリーブ後の信号を、時間デインタリーバ２２０−１に供給する。
【０１３０】
時間デインタリーバ２２０−１には、周波数デインタリーバ２１７−１からの信号とともに、TMCC復調復号部２１６からFECブロックポインタが供給される。時間デインタリーバ２２０−１は、周波数デインタリーブ後の信号を適宜、RAM２２２に書き込んだり、読み出したりすることで、時間デインタリーブ（時間方向のデインタリーブ）を行い、その時間デインタリーブ後の信号を、FEC復調復号部２２３及びFEC LDM復調部２２４に供給する。
【０１３１】
ここで、時間デインタリーバ２２０−１によって行われる時間デインタリーブは、図５に示した時間デインタリーブに対応したものとされる。また、このとき、OFDMフレーム（のデータフレーム）の先頭位置と、FECブロックの先頭位置とが一致していない場合でも、FECブロックポインタを用いることで、FECブロックの先頭位置を認識して、OFDMフレームに含まれる複数のFECブロックを、FECブロック単位で読み出すことができる。
【０１３２】
FEC復調復号部２２３は、現行方式に対応しており、時間デインタリーバ２２０−１から供給される信号に対し、所定の復調方式に従った復調を行い、その復調の結果を復号して得られる信号を、FEC LDM復調部２２４に供給する。
【０１３３】
FEC LDM復調部２２４は、時間デインタリーバ２２０−１及びFEC復調復号部２２３から供給される信号に基づいて、LDM復調を行い、その復調の結果に応じた信号を、セレクタ２２５に供給する。
【０１３４】
ここで、移行期間においては、階層分割多重方式が用いられ、２Ｋコンテンツの信号（2K FEC信号）が高電力階層（UL）で伝送され、４Ｋコンテンツの信号（4K FEC信号）が低電力階層（LL）で伝送されるが、このLDM復調によって、低電力階層（LL）で伝送される4K FEC信号の復調や復号が可能とされる。
【０１３５】
一方で、移行後において、周波数デインタリーバ２１７−２は、OFDM復調部２１１から供給される信号（次世代データ信号）を適宜、RAM２１９に書き込んだり、読み出したりすることで、周波数デインタリーブを行い、その周波数デインタリーブ後の信号を、時間デインタリーバ２２０−２に供給する。
【０１３６】
時間デインタリーバ２２０−２には、周波数デインタリーバ２１７−２からの信号とともに、TMCC復調復号部２１６からFECブロックポインタが供給される。時間デインタリーバ２２０−２は、周波数デインタリーブ後の信号を適宜、RAM２２２に書き込んだり、読み出したりすることで、時間デインタリーブを行い、その時間デインタリーブ後の信号を、セレクタ２２５に供給する。
【０１３７】
なお、このとき、OFDMフレーム（のデータフレーム）の先頭位置と、FECブロックの先頭位置とが一致していない場合には、FECブロックポインタを用いることで、FECブロックの先頭位置を認識することができる。
【０１３８】
セレクタ２２５には、FEC LDM復調部２２４からの信号と、時間デインタリーバ２２０−２からの信号とが入力される。セレクタ２２５は、移行期間判定部２１４からの切替信号が移行期間に応じた信号である場合には、FEC LDM復調部２２４からの信号を選択し、切替信号が移行後に応じた信号である場合には、時間デインタリーバ２２０−２からの信号を選択して、それぞれFEC復調復号部２２６に供給する。
【０１３９】
すなわち、移行期間に応じた運用を行う場合には、FEC LDM復調部２２４からの信号として、階層分割多重方式における低電力階層（LL）で伝送される次世代放送信号から得られる4K FEC信号が、FEC復調復号部２２６に入力される。一方で、移行後に応じた運用を行う場合には、移行後の次世代４Ｋ放送の次世代放送信号から得られる4K FEC信号が、FEC復調復号部２２６に入力される。
【０１４０】
FEC復調復号部２２６は、次世代方式に対応しており、セレクタ２２５から供給される4K FEC信号に対し、所定の復調方式に従った復調を行い、その復調の結果を復号して得られる4K信号を、後段の回路（例えばデコーダ等）に出力する。
【０１４１】
これにより、例えば、次世代受信装置２０Ｎ又は両方式受信装置２０Ｄにおいては、移行期間には、階層分割多重方式における低電力階層（LL）で伝送される次世代放送信号から得られる4K信号が処理され、移行後には、移行後の次世代４Ｋ放送の次世代放送信号から得られる4K信号が処理される。そのため、次世代受信装置２０Ｎ又は両方式受信装置２０Ｄでは、移行期間中及び移行期間後において、次世代４Ｋ放送による４Ｋコンテンツが視聴可能とされる。
【０１４２】
（第１の受信処理の流れ）
次に、図９のフローチャートを参照して、図８の受信装置２０（次世代受信装置２０Ｎ又は両方式受信装置２０Ｄ）により実行される第１の受信処理の流れを説明する。
【０１４３】
ステップＳ２０１において、OFDM復調部２１１は、受信用のアンテナを介して受信された放送信号に対するOFDM復調処理を行う。
【０１４４】
ステップＳ２０２において、TMCC復調復号部２１２は、OFDM復調処理の結果に基づいて、TMCC復調復号処理を行う。このTMCC復調復号処理によって、運用判定信号が検出される。
【０１４５】
ステップＳ２０３において、移行期間判定部２１４は、検出された運用判定信号に基づき、その時点での運用が移行期間又は移行後であるかを判定する。
【０１４６】
ステップＳ２０３において、移行期間中であると判定された場合、処理は、ステップＳ２０４に進められ、ステップＳ２０４乃至Ｓ２０８、及びＳ２１２の処理が実行される。
【０１４７】
すなわち、TMCC復調復号部２１２が現行方式に対応したTMCC復調復号処理を行うとともに、TMCC LDM復調部２１３がTMCC LDM復調処理を行う（Ｓ２０４）ことで、高電力階層のUL信号を利用して低電力階層のLL信号に対する処理が行われる。これにより、TMCC復調復号部２１６が次世代方式に対応したTMCC復調復号処理を行う（Ｓ２０５）ことで、FECブロックポインタを含む次世代TMCC信号が得られる。
【０１４８】
そして、周波数デインタリーバ２１７−１が、OFDM復調処理の結果得られる信号に対し、周波数デインタリーブを行う（Ｓ２０６）。また、時間デインタリーバ２２０−１が、周波数デインタリーブ後の信号に対し、時間デインタリーブを行う（Ｓ２０７）。
【０１４９】
続いて、FEC復調復号部２２３が現行方式に対応したFEC復調復号処理を行うとともに、FEC LDM復調部２２４がFEC LDM復調処理を行う（Ｓ２０８）ことで、高電力階層のUL信号を利用して、低電力階層のLL信号に対する処理が行われる。これにより、FEC復調復号部２２６が次世代方式に対応したFEC復調復号処理を行う（Ｓ２１２）ことで、4K信号が得られ、後段の回路に出力される。
【０１５０】
一方で、ステップＳ２０３において、移行後であると判定された場合、処理は、ステップＳ２０９に進められ、ステップＳ２０９乃至Ｓ２１２の処理が実行される。
【０１５１】
すなわち、TMCC復調復号部２１６が、OFDM復調処理の結果に基づいて、次世代方式に対応したTMCC復調復号処理を行う（Ｓ２０９）。このTMCC復調復号処理によって、FECブロックポインタを含む次世代TMCC信号が得られる。
【０１５２】
そして、周波数デインタリーバ２１７−２が、OFDM復調処理の結果得られる信号に対し、周波数デインタリーブを行う（Ｓ２１０）。また、時間デインタリーバ２２０−２が、周波数デインタリーブ後の信号に対し、時間デインタリーブを行う（Ｓ２１１）。
【０１５３】
その後、FEC復調復号部２２６が、時間デインタリーブ後の信号に対し、次世代方式に対応したFEC復調復号処理を行う（Ｓ２１２）ことで、4K信号が得られ、後段の回路に出力される。ステップＳ２１２の処理が終了すると、図９に示した第１の受信処理は終了される。
【０１５４】
以上、第１の受信処理の流れを説明した。
【０１５５】
（受信装置の構成）
図１０は、図１の受信装置２０の構成の第２の例を示すブロック図である。なお、図１０に示した受信装置２０は、例えば次世代受信装置２０Ｎ又は両方式受信装置２０Ｄとして構成されている。
【０１５６】
図１０に示した構成の第２の例は、図８に示した構成の第１の例と比べて、移行期間判定部２１４が取り除かれ、移行期間と移行後の切替信号が、外部から設定される構成となっている点が異なる。ここでは、例えば、次世代受信装置２０Ｎ又は両方式受信装置２０Ｄがテレビ受像機である場合に、テレビセットのファームウェアなど、復調機能を有する回路（復調IC）の外部から、切替信号を設定することができる。
【０１５７】
そして、図１０に示した構成の第２の例においては、図８に示した構成の第１の例と同様に、切替信号が、セレクタ２１５、セレクタ２１８、セレクタ２２１、及びセレクタ２２５にそれぞれ供給され、各セレクタでは、切替信号に従い、入力信号が選択されて出力される。
【０１５８】
（第２の受信処理の流れ）
次に、図１１のフローチャートを参照して、図１０の受信装置２０（次世代受信装置２０Ｎ又は両方式受信装置２０Ｄ）により実行される第２の受信処理の流れを説明する。
【０１５９】
図１１に示した第２の受信処理は、図９に示した第１の受信処理と比べて、ステップＳ２３３の判定処理が、ステップＳ２０３の判定処理と異なる。
【０１６０】
ステップＳ２３３の判定処理では、テレビセットのファームウェア等の外部からの設定に基づき、動作を切り替える設定がなされたか、すなわち、その時点での運用が移行期間又は移行後であるかどうかが判定される。
【０１６１】
ステップＳ２３３において、移行期間中であると判定された場合、処理は、ステップＳ２３４に進められ、ステップＳ２３４乃至Ｓ２３８、及びＳ２４２の処理が実行される。一方で、ステップＳ２３３において、移行後であると判定された場合、処理は、ステップＳ２３９に進められ、ステップＳ２３９乃至Ｓ２４２の処理が実行される。
【０１６２】
なお、ステップＳ２３３以外の処理、すなわち、図１１のステップＳ２３１、Ｓ２３２、及びＳ２３４乃至Ｓ２４２の処理は、図９のステップＳ２０１、Ｓ２０２、及びＳ２０４乃至Ｓ２１２の処理と同様とされる。
【０１６３】
以上、第２の受信処理の流れを説明した。
【０１６４】
（受信装置の構成）
図１２は、図１の受信装置２０の構成の第３の例を示すブロック図である。なお、図１０に示した受信装置２０は、両方式受信装置２０Ｄとして構成されている。
【０１６５】
図１２に示した構成の第３の例は、図８に示した構成の第１の例と比べて、セレクタ２４１及びセレクタ２４２が追加され、現行方式に応じた信号が選択可能な構成となっている点が異なる。
【０１６６】
ここでは、例えば、移行期間判定部２１４が、TMCC復調復号部２１２から供給される信号（例えば運用判定信号）に基づき、その時点での運用が現行方式（移行前）の運用であるかどうかを判定し、その判定の結果に応じた切替信号を、セレクタ２４１及びセレクタ２４２に供給する。
【０１６７】
セレクタ２４１は、移行期間判定部２１４からの切替信号が現行方式（移行前）に応じた信号である場合、'0'を選択し、時間デインタリーバ２２０−１に供給する。すなわち、現行方式に対応したFECブロックの先頭位置は、OFDMフレーム（のデータフレーム）の先頭位置と一致しており、FECブロックポインタは不要であるため、ここでは、'0'を入力している。
【０１６８】
また、セレクタ２４１は、移行期間判定部２１４からの切替信号が現行方式（移行前）に応じた信号でない場合（移行期間又は移行後に応じた信号である場合）、TMCC復調復号部２１６からの信号（FECブロックポインタ）を選択し、時間デインタリーバ２２０−１又は時間デインタリーバ２２０−２に供給する。
【０１６９】
セレクタ２４２は、移行期間判定部２１４からの切替信号が現行方式（移行前）に応じた信号である場合、現行方式に対応したFEC復調復号部２２３からの信号（2K信号）を選択し、後段の回路（例えばデコーダ等）に出力する。これにより、両方式受信装置２０Ｄでは、現行２Ｋ放送による２Ｋコンテンツが視聴可能とされる。
【０１７０】
また、セレクタ２４２は、移行期間判定部２１４からの切替信号が現行方式（移行前）に応じた信号でない場合（移行期間又は移行後に応じた信号である場合）、次世代方式に対応したFEC復調復号部２２６からの信号（4K信号）を選択し、後段の回路に出力する。これにより、両方式受信装置２０Ｄでは、次世代４Ｋ放送による４Ｋコンテンツが視聴可能とされる。
【０１７１】
（第３の受信処理の流れ）
次に、図１３のフローチャートを参照して、図１２の受信装置２０（両方式受信装置２０Ｄ）により実行される第３の受信処理の流れを説明する。
【０１７２】
図１３に示した第３の受信処理は、図９に示した第１の受信処理と比べて、ステップＳ２６３の判定処理が、ステップＳ２０３の判定処理と異なる。
【０１７３】
ステップＳ２６３の判定処理では、その時点での運用が移行期間又は移行後であるかに加えて、現行方式（移行前）であるかどうかが判定される。
【０１７４】
ステップＳ２６３において、現行方式（移行前）であると判定された場合、処理は、ステップＳ２６４に進められ、ステップＳ２６４乃至Ｓ２６６の処理が実行される。
【０１７５】
すなわち、周波数デインタリーバ２１７−１が、OFDM復調処理の結果得られる信号（現行データ信号）に対し、周波数デインタリーブを行う（Ｓ２６４）。また、時間デインタリーバ２２０−１が、周波数デインタリーブ後の信号に対し、時間デインタリーブを行う（Ｓ２６５）。
【０１７６】
そして、FEC復調復号部２２３が現行方式に対応したFEC復調復号処理を行う（Ｓ２６６）ことで、2K FEC信号から2K信号が得られ、後段の回路に出力される。
【０１７７】
なお、ステップＳ２６３において、移行期間中であると判定された場合、処理は、ステップＳ２６７に進められ、ステップＳ２６７乃至Ｓ２７１、及びＳ２７５の処理が実行されるが、これらの処理は、図９のステップＳ２０４乃至Ｓ２０８、及びＳ２１２の処理と同様とされる。
【０１７８】
また、ステップＳ２６３において、移行後であると判定された場合、処理は、ステップＳ２７２に進められ、ステップＳ２７２乃至Ｓ２７５の処理が実行されるが、これらの処理は、図９のステップＳ２０９乃至Ｓ２１２の処理と同様とされる。
【０１７９】
以上、第３の受信処理の流れを説明した。
【０１８０】
なお、図１２に示した構成の第３の例においては、移行期間判定部２１４が、TMCC復調復号部２１２から供給される信号に基づき、その時点での運用が現行方式（移行前）であるかどうかを判定し、その判定の結果に応じた切替信号を出力する構成を示したが、図１０に示した構成の第２の例と同様に、外部から設定してもよい。具体的には、例えばテレビセットのファームウェアなどによって、セレクタ２４１、２４２に対し、現行方式（移行前）を示す切替信号が設定されてもよい。
【０１８１】
また、図１３に示した第３の受信処理では、移行期間において、両方式受信装置２０Ｄによって、次世代４Ｋ放送が受信される例を示したが、現行２Ｋ放送が受信されてもよい。
【０１８２】
＜２．変形例＞
【０１８３】
（他の放送方式の例）
上述した説明としては、地上デジタルテレビジョン放送の放送方式として、ISDB-T方式を説明したが、本技術は、他の放送方式に適用してもよい。また、地上波（地上波放送）に限らず、例えば、例えば、放送衛星（BS：Broadcasting Satellite）や通信衛星（CS：Communications Satellite）を利用した衛星放送、あるいは、ケーブルを用いた有線放送（CATV：Common Antenna TeleVision）などの放送方式に適用してもよい。
【０１８４】
（受信装置の他の構成）
また、上述した説明では、受信装置２０（図１）は、テレビ受像機やセットトップボックス（STB）などの固定受信機として構成されるとして説明したが、固定受信機には、例えば、録画機、ゲーム機、パーソナルコンピュータ、ネットワークストレージなどの電子機器を含めてもよい。さらに、受信装置２０（図１）としては、固定受信機に限らず、例えば、スマートフォンや携帯電話機、タブレット型コンピュータ等のモバイル受信機、車載テレビ等の車両に搭載される車載機器、ヘッドマウントディスプレイ（HMD：Head Mounted Display）等のウェアラブルコンピュータなどの電子機器を含めてもよい。
【０１８５】
また、図６に示した構成を有する送信装置１０を、変調装置又は変調部（例えば変調回路）などとして捉えてもよい。同様に、図８等に示した構成を有する受信装置２０を、復調装置又は復調部（例えば復調回路や復調IC）などとして捉えてもよい。さらに、図６に示した送信装置１０において、OFDM変調部１１７は、送信用のアンテナを介して放送信号を送信する送信部であると捉えてもよい。同様に、図８等に示した構成を有する受信装置２０において、OFDM復調部２１１は、受信用のアンテナを介して放送信号を受信する受信部であると捉えてもよい。
【０１８６】
（通信回線を含む構成）
また、伝送システム１（図１）においては、図示していないが、インターネット等の通信回線に対し、各種のサーバが接続されるようにして、通信機能を有する受信装置２０（図１）が、インターネット等の通信回線を介して、各種のサーバにアクセスして双方向の通信を行うことで、コンテンツやアプリケーション等の各種のデータを受信できるようにしてもよい。
【０１８７】
（その他）
なお、本開示において用いられる用語は、一例であって、他の用語が用いられるのを意図的に排除するものではない。例えば、上述した説明において、フレームは、例えば、パケットなどの他の用語で置き換えられる場合がある。
【０１８８】
また、本開示において、「２Ｋ映像」とは、概ね1920×1080ピクセル前後の画面解像度に対応した映像であり、「４Ｋ映像」とは、概ね3840×2160ピクセル前後の画面解像度に対応した映像である。また、上述した説明では、放送コンテンツとして、現行２Ｋ放送（現行方式）で伝送される２Ｋ映像の２Ｋコンテンツと、次世代４Ｋ放送（次世代方式）で伝送される４Ｋ映像の４Ｋコンテンツを説明したが、次世代方式で伝送される放送コンテンツとしては、８Ｋ映像等のさらに高画質のコンテンツであってもよい。ただし、「８Ｋ映像」とは、概ね7680×4320ピクセル前後の画面解像度に対応した映像である。
【０１８９】
＜３．コンピュータの構成＞
【０１９０】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図１４は、上述した一連の処理をプログラムにより実行するコンピュータのハードウェアの構成例を示す図である。
【０１９１】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０１９２】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブル記録媒体１０１１を駆動する。
【０１９３】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０１９４】
コンピュータ１０００（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線又は無線の伝送媒体を介して提供することができる。
【０１９５】
コンピュータ１０００では、プログラムは、リムーバブル記録媒体１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０１９６】
ここで、本開示において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されてもよいし、複数のコンピュータによって分散処理されてもよい。
【０１９７】
なお、本技術の実施の形態は、上述した実施の形態に限定されるものではなく、本技術の要旨を逸脱しない範囲において種々の変更が可能である。
【０１９８】
また、本技術は、以下のような構成をとることができる。
【０１９９】
（１）
物理層フレームにデータフレームとして含める誤り訂正符号ブロックに対して、第１の方式に準拠した第１の時間インタリーブを行う第１の時間インタリーバを備え、
前記誤り訂正符号ブロックは、第２の方式に準拠し、
前記第１の時間インタリーバは、前記第１の時間インタリーブを行うに際し、前記データフレームの先頭に含まれる前記誤り訂正符号ブロックの先頭位置のオフセットを示すポインタを適用する
送信装置。
（２）
前記物理層フレームを、階層分割多重方式を適用した放送信号として送信する送信部をさらに備える
前記（１）に記載の送信装置。
（３）
前記送信部は、前記データフレーム及び伝送制御信号を含む前記物理層フレームを送信し、
前記ポインタは、前記伝送制御信号に含まれる
前記（２）に記載の送信装置。
（４）
前記第２の方式は、前記第１の方式の次世代方式を含み、
前記第１の時間インタリーバは、前記第１の方式と前記第２の方式の移行期間に、前記第１の時間インタリーブを行う
前記（２）又は（３）に記載の送信装置。
（５）
前記第２の方式に準拠した第２の時間インタリーブを行う第２の時間インタリーバをさらに備え、
前記第２の時間インタリーバは、前記第２の方式への移行後に、前記第２の時間インタリーブを行う
前記（４）に記載の送信装置。
（６）
前記移行期間であるかどうかを示す切替信号に基づいて、前記第１の時間インタリーバから、前記第２の時間インタリーバに切り替える
前記（５）に記載の送信装置。
（７）
前記送信部は、前記データフレーム及び伝送制御信号を含む前記物理層フレームを送信し、
前記切替信号は、前記伝送制御信号に含まれる
前記（６）に記載の送信装置。
（８）
前記第１の方式は、ISDB-T方式を含み、
前記第２の方式は、前記ISDB-T方式の次世代方式を含む
前記（４）に記載の送信装置。
（９）
前記物理層フレームは、OFDMフレームを含み、
前記誤り訂正符号ブロックは、FECブロックを含み、
前記ポインタは、FECブロックポインタを含む
前記（１）乃至（８）のいずれかに記載の送信装置。
（１０）
送信装置が、
物理層フレームにデータフレームとして含める第２の方式に準拠した誤り訂正符号ブロックに対して、第１の方式に準拠した時間インタリーブを行うに際し、前記データフレームの先頭に含まれる前記誤り訂正符号ブロックの先頭位置のオフセットを示すポインタを適用する
送信方法。
（１１）
物理層フレームにデータフレームとして含める第２の方式に準拠した誤り訂正符号ブロックに対して、第１の方式に準拠した第１の時間インタリーブを行うに際し、前記データフレームの先頭に含まれる前記誤り訂正符号ブロックの先頭位置のオフセットを示すポインタを適用する時間インタリーバを備える送信装置
から送信されてくる前記物理層フレームから抽出される前記第１の時間インタリーブ後の前記誤り訂正符号ブロックを、前記オフセットに応じた元の時間的順序に戻す第１の時間デインタリーブを行う第１の時間デインタリーバを備える
受信装置。
（１２）
階層分割多重方式を適用した放送信号として送信されてくる前記物理層フレームを受信する受信部をさらに備える
前記（１１）に記載の受信装置。
（１３）
前記受信部は、前記データフレーム及び伝送制御信号を含む前記物理層フレームを受信し、
前記ポインタは、前記伝送制御信号に含まれる
前記（１２）に記載の受信装置。
（１４）
前記第２の方式は、前記第１の方式の次世代方式を含み、
前記第１の時間デインタリーバは、前記第１の方式と前記第２の方式の移行期間に、前記第１の時間デインタリーブを行う
前記（１２）又は（１３）に記載の受信装置。
（１５）
前記第２の方式に準拠した第２の時間デインタリーブを行う第２の時間デインタリーバをさらに備え、
前記第２の時間デインタリーバは、前記第２の方式への移行後に、前記第２の時間デインタリーブを行う
前記（１４）に記載の受信装置。
（１６）
前記移行期間であるかどうかを示す切替信号に基づいて、前記第１の時間デインタリーバから、前記第２の時間デインタリーバに切り替える
前記（１５）に記載の受信装置。
（１７）
前記受信部は、前記データフレーム及び伝送制御信号を含む前記物理層フレームを受信し、
前記切替信号は、前記伝送制御信号に含まれるか、又は外部から設定される
前記（１６）に記載の受信装置。
（１８）
前記第１の方式は、ISDB-T方式を含み、
前記第２の方式は、前記ISDB-T方式の次世代方式を含む
前記（１４）に記載の受信装置。
（１９）
前記物理層フレームは、OFDMフレームを含み、
前記誤り訂正符号ブロックは、FECブロックを含み、
前記ポインタは、FECブロックポインタを含む
前記（１１）乃至（１８）のいずれかに記載の受信装置。
（２０）
物理層フレームにデータフレームとして含める第２の方式に準拠した誤り訂正符号ブロックに対して、第１の方式に準拠した時間インタリーブを行うに際し、前記データフレームの先頭に含まれる前記誤り訂正符号ブロックの先頭位置のオフセットを示すポインタを適用する時間インタリーバを備える送信装置から送信されてくる前記物理層フレームを受信する受信装置が、
前記物理層フレームから抽出される時間インタリーブ後の前記誤り訂正符号ブロックを、前記オフセットに応じた元の時間的順序に戻す時間デインタリーブを行う
受信方法。
【符号の説明】
【０２００】
１  伝送システム，  １０  送信装置，  １１，１１−１乃至１１−Ｎ  データ処理装置，  ２０，２０−１乃至２０−Ｍ  受信装置，  ２０Ｄ  両方式受信装置，  ２０Ｌ  現行受信装置，  ２０Ｎ  次世代受信装置，  １１１−１，１１１−２  FEC部，  １１２  電力制御部，  １１３  加算部，  １１４  電力正規化部，  １１５−１，１１５−２  信号処理部，  １１６  セレクタ，  １１７  OFDM変調部，  １１８  セレクタ，  １１９  FECポインタ計算部，  １２０−１，１２０−２  TMCC生成部，  １２１  電力制御部，  １２２  加算部，  １２３  電力正規化部，  １２４  セレクタ，  １４１−１，１４１−２  階層合成部，  １４２−１，１４２−２  時間インタリーバ，  １４３−１，１４３−２  周波数インタリーバ，  ２１１  OFDM復調部，  ２１２  TMCC復調復号部，  ２１３  TMCC LDM復調部，  ２１４  移行期間判定部，  ２１５  セレクタ，  ２１６  TMCC復調復号部，  ２１７−１，２１７−２  周波数デインタリーバ，  ２１８  セレクタ，  ２１９  RAM，  ２２０−１，２２０−２  時間デインタリーバ，  ２２１  セレクタ，  ２２２  RAM，  ２２３  FEC復調復号部，  ２２４  FEC LDM復調部，  ２２５  セレクタ，  ２２６  FEC 復調復号部，  ２４１  セレクタ，  ２４２  セレクタ，  １０００  コンピュータ，  １００１  CPU
【図１】
2020096230.tif 000003
【図２】
2020096230.tif 000004
【図３】
2020096230.tif 000005
【図４】
2020096230.tif 000006
【図５】
2020096230.tif 000007
【図６】
2020096230.tif 000008
【図７】
2020096230.tif 000009
【図８】
2020096230.tif 000010
【図９】
2020096230.tif 000011
【図１０】
2020096230.tif 000012
【図１１】
2020096230.tif 000013
【図１２】
2020096230.tif 000014
【図１３】
2020096230.tif 000015
【図１４】
2020096230.tif 000016